(57)【特許請求の範囲】
【請求項１】
表面に、少なくとも管理に必要なデータが表示可能であり、かつ、一端部近辺にバンド部収納用のスリット部が形成された表示部と、
この表示部の前記スリット部側の一端部に連続して延伸されるとともに、セット穴が形成されたバンド止め部と、
前記表示部の他端部に連続して延伸されるとともに、バンド穴が形成されたバンド部と、
を備えたことを特徴とするリストバンド。
【請求項２】
前記スリット部は、表示部の幅方向において直線形状、または表示部の内側に向け半月形状に形成されていることを特徴とする請求項１に記載のリストバン
ド。
【請求項３】
表面に、少なくとも管理に必要なデータが表示可能であり、かつ、一端部近にスリット部が形成された表示部と、
この表示部の前記スリット部側の一端部に連続して延伸されるとともに、セット穴が形成されたバンド止め部と、
前記表示部の他端部に連続して延伸されるとともに、バンド穴が形成されたバンド部と、を備えたリストバンドの使用方法であって、
環状となるよう前記バンド止め部にバンド部を重ねるとともに、前記スリット部に対し表面側より裏面側に前記バンド部を挿通し、かつ、前記重ねたセット穴とバンド穴の適宜位置を選択して係止具にて止めることを特徴とするリストバンドの使用方法。
【発明の詳細な説明】
【技術分野】
【０００１】
本発明は、特に、病院で患者の手首や足首などに環状に巻き付けて使用されるリストバンドおよびリストバンドの使用方法に関する。
【背景技術】
【０００２】
近年、病院では患者の取り違えミスを防止するために、患者の名前や年齢、血液型といった管理に必要な患者固有の識別データを表示したリストバンドを患者の手首や足首に取り付けることが行われている。
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止めるようになっている（例えば、特許文献１参照）。
ところで、リストバンドは、両端に形成された穴にクリップのボスを通して止めるだけの構成のため、大人から新生児、また、手首や足首などの巻き止め条件がさまざまであり、どのような条件にも対応可能なように余裕のある長さに作製されており、クリップで巻き止めた後に生じた余分なリストバンドは邪魔であることから鋏などの切断用具で切除する必要があった。
【０００３】
しかしながら、鋏などの切断用具を用いることは、患者や新生児の肌を傷つける心配もあり、また、リストバンドを切断用具で切った跡（切り口）が鋭利になった場合は、肌触りが悪いばかりでなく、新生児などの肌を傷つけるという問題があった。
さらに、鋏などの切断用具を用意することが、切離し作業を煩わしいものにしてしまうという問題点があった。
【特許文献１】特開２００５−１３３２６５号公報
【発明の開示】
【発明が解決しようとする課題】
【０００４】
本発明は、上記の問題点に着目して成されたものであり、手首や足首などに巻き止めた後に生じた余分なリストバンドを、鋏などの切断用具を用いて切断することなく装着できるリストバンドおよびリストバンドの使用方法を提供することを目的とする。
【課題を解決するための手段】
【０００５】
上記の目的を達成するため、本発明に係るリストバンドは、表面に、少なくとも管理に必要なデータが表示可能であり、かつ、一端部近辺にバンド部収納用のスリット部が形成された表示部と、この表示部の前記スリット部側の一端部に連続して延伸されるとともに、セット穴が形成されたバンド止め部と、前記表示部の他端部に連続して延伸されるとともに、バンド穴が形成されたバンド部と、を備えたことを特徴とする。
また、スリット部は、表示部の幅方向において直線形状、または表示部の内側に向け半月形状に形成されるようにできる。
さらに、第２の発明に係るリストバンドの使用方法は、表面に、少なくとも管理に必要なデータが表示可能であり、かつ、一端部近にスリット部が形成された表示部と、この表示部の前記スリット部側の一端部に連続して延伸されるとともに、セット穴が形成されたバンド止め部と、前記表示部の他端部に連続して延伸されるとともに、バンド穴が形成されたバンド部と、を備えたリストバンドの使用方法であって、環状となるよう前記バンド止め部にバンド部を重ねるとともに、前記スリット部に対し表面側より裏面側に前記バンド部を挿通し、かつ、前記重ねたセット穴とバンド穴の適宜位置を選択して係止具にて止めることを特徴とする。
【発明の効果】
【０００６】
第１の発明に係るリストバンドは、表示部の一端部近辺にバンド部収納用のスリット部を形成したので、余ったバンド部をスリット部より収納できるので、バンド部が表面側に出て邪魔にならないという効果がある。
また、本発明に係るリストバンドの使用方法は、スリット部に対し表面側より裏面側にバンド部を挿通し、かつ、重ねたセット穴とバンド穴の適宜位置を選択して係止具にて止めるようにしたので、リストバンドの裏面と手首の間にバンド部が収容された状態で巻き止められ、余ったバンド部が表面側に出て邪魔とならず、かつ、鋏などの切断用具を用いて切断することなく装着できるため、切断用具を用いることによる危険性が回避され、さらに、切断で切り口が鋭利になった場合に、患者の肌を傷つけ、あるいは、患者に不快感を与えることがないという効果がある。
【発明を実施するための最良の形態】
【０００７】
以下、本発明の第１の実施の形態のリストバンドを図１ないし図２に基づき説明する。
【０００８】
図１は、リストバンド１を例示した図であり、リストバンド１は、管理に必要な各種情報を表示するための幅広に形成された表示部２を設けており、かつ、表示部２の一方にはバンド止め部３、他方にはバンド部４が形成され、長手方向に延伸された構成となっている。
バンド止め部３は、バンド部４よりも短く形成されており、その先端部近傍にセット穴５が形成され、一方、バンド部４は、バンド止め部３と同じ幅で形成されており、幅方向の中央部にバンド穴６、６、…が一定の間隔をもって形成されている。
表示部２には、バンド止め部３側の端部に、バンド部４の幅より若干幅広のスリット部７が形成されており、このスリット部７にはバンド部４が挿通できるようになっている。
また、バンド止め部３およびバンド部４の先端部は半月形状になっており、肌に触れたとしても傷がつきにくい形状となっている。さらに、バンド止め部３およびバンド部４は、表示部２の幅（図１における上下方向）よりも幅が狭く形成されている。これにより、前記スリット部７がバンド部４の「収納用」としての役目を果たすことになる。詳細は後述する。
なお、本実施の形態のリストバンド１は、病院の患者用を例示しており、表示部２には、管理に必要な患者名８、血液型９、入院病棟１０、入院科１１、およびこれらの個人情報をコード化したバーコード１２などの各種情報が印字されている。
【０００９】
次に、主に、図２に基づき、リストバンド１の使用状態を説明する。図２は、リストバンド１の装着状態を示す、一部省略の拡大説明図である。
リストバンド１は、例えば、「係止具」としてのクリップ３０にて係止する。
先ず、クリップ３０の説明をすると、クリップ３０は、楕円状のオスクリップ３１とメスクリップ３２とで構成されており、互いに連結部３３を介して一体成形されている。
オスクリップ３１は、端部（図２における下端部）中央部に矩形状の係止部３４が垂直に立設されており、この係止部３４は、先端部に係止爪３４Ａが形成されている。また、中央部位（端部と連結部３３との間の中央部）には２つの円形状の突起部３５が形成されている。
メスクリップ３２は、上端部に矩形状の係止穴３６が形成されており、その形状および大きさは前記オスクリップ３１に形成された係止部３４とほぼ同じとされている。また、中央部位（端部と連結部３３との間の中央部）には２つの嵌合穴３７が形成されている。
オスクリップ３１とメスクリップ３２とを連結する前記連結部３３は屈曲自在に形成されており、折り曲げた状態で前記オスクリップ３１の係止部３４、並びに突起部３５が、前記メスクリップ３２の係止穴３６、並びに嵌合穴３７に各々嵌合するようになっている。
【００１０】
リストバンド１を図示省略の患者に装着する際、バンド止め部３のセット穴５にオスクリップ３１の突起部３５をバンド止め部３の裏面より挿入し、リストバンド１の表示部２が表から見える状態で手首（図示省略）に巻きつける。そして、表示部２の表面側よりスリット部７に対しバンド部４を挿通しながら手首の太さに合せてバンド穴６を選択し、オスクリップ３１の突起部３５に挿入する。その後、連結部３３を屈曲させてメスクリップ３２に形成された嵌合穴３７を突起部３５に、さらに、係止部３４を係止穴３６に、各々嵌め込む。この際、係止部３４の係止爪３４Ａが弾性変形しながら係止穴３６に嵌め込まれ、オスクリップ３１とメスクリップ３２とが取り外し不能な状態で一体化される。
【００１１】
上述したように、リストバンド１の使用時、表示部２に形成されたスリット部７よりバンド部４を挿通しながら図示省略の患者の手首の太さに合せてバンド穴６を選択して装着するようにしたので、リストバンド１の裏面と患者の手首の間にバンド部４が収容された状態で巻き止められる。したがって、患者の手首の太さに合せたあとのバンド部４が表面に出て邪魔となることがなく、かつ、鋏などの切断用具を用いて切断することなく装着できるため、切断用具を用いることによる危険性が回避され、さらに、鋏などの切断用具による切断で切り口が鋭利になった場合に、患者の肌を傷つけ、あるいは、不快感を与えることがなくなる。
【００１２】
次に、主に、図３に基づき、他の実施の形態につき説明する。
なお、以下において、先の実施の形態と同様の部分は同一符号を付すに止め、詳説を省略する。
同図に示すように、リストバンド２１は、遊園地において「乗り物券」として使用した例を示すものであり、表示部２２の一方にはバンド止め部３、他方にはバンド部４が形成され、長手方向に延伸された構成となっている。この表示部２２には、遊園地名（図示の例では、「●■遊園地」）２３、券の種類（図示の例では、「１日乗り物券」）２４、使用期限（図示の例では、「２００５年〇月△日」）２５、およびこれらの情報をコード化したバーコード２６などの各種情報が印字されている。
表示部２２には、上記印字された各種情報２３〜２６のほか、バンド止め部３側の端部に、半月形状のスリット部２７が形成されている。スリット部２７の形状は、バンド部４先端の半月形状とほぼ同じ形状とされ、かつ、半月の向き（切り込まれた方向）はバンド止め部３側の端部より各種情報２３〜２６が印字されている内側に向けて切り込まれている。
上記のリストバンド２１を装着する際、表示部２２に形成されたスリット部２７よりバンド部４を挿通しながら図示省略の来場者の手首の太さに合せてバンド穴６を選択して装着する。スリット部２７よりバンド部４を挿通する際、半月状のスリット部２７の形状が、半月形状のバンド部４先端の形状とほぼ同じ形状とされるため挿通し易く、かつ、形状が滑らかな半月形状となっているため、図示省略の手首側に押し込まれたとしても肌を傷つける虞が少なくなる。
その他の構成、作用、効果については、先の実施の形態と略同様につき詳説を省略する。
【００１３】
なお、上記実施の形態の構成及び動作は例であって、本発明の趣旨を逸脱しない範囲で適宜変更することができることは言うまでもない。
【図面の簡単な説明】
【００１４】
【図１】本発明の一実施の形態によるリストバンドを表示部より見た概略説明図である。
【図２】同、リストバンドの使用状態を示す一部省略の拡大説明図である。
【図３】同、他の実施の形態を示す図１相当の概略説明図である。
【符号の説明】
【００１５】
１    リストバンド（第１の実施の形態）
２    表示部
３    バンド止め部
４    バンド部
５    セット穴
６    バンド穴
７    スリット部
８    患者名
９    血液型
１０  入院病棟
１１  入院科
１２  バーコード
２１  リストバンド（他の実施の形態）
２２  表示部
２３  遊園地名
２４  券の種類
２５  使用期限
２６  バーコード
２７  スリット部
３０  クリップ（係止具）
３１  オスクリップ
３２  メスクリップ
３３  連結部
３４  係止部
３４Ａ  係止爪
３５  突起部
３６  係止穴
３７  嵌合穴
【図１】
0004666622.tif 000002
【図２】
0004666622.tif 000003
【図３】
0004666622.tif 000004